(57)【要約】【課題】カーテンエアバッグに関し、乗員保護性能を向上させる。【解決手段】車室内１０の側面に沿って展開されるメインチャンバー２を設ける。メインチャンバー２の前方においてフロントピラー９に対向してメインチャンバー２とともに展開されるサブチャンバー３を設ける。サブチャンバー３は、フロントピラー９からの反力を受けてメインチャンバー２の前端部１５を車室内１０方向へと押圧するように設ける。【選択図】図１
2017019383.tif 000002
【特許請求の範囲】
【請求項１】
車室内の側面に沿って展開される主室と、
前記主室の前方においてフロントピラーに対向して前記主室とともに展開され、前記フロントピラーからの反力を受けて前記主室の前端部を車室内方向へと押圧する副室と、
を備えることを特徴とする、カーテンエアバッグ。
【請求項２】
前記副室が、
前記フロントピラーに沿って展開され、前記フロントピラーの表面に接触する支持面を有する第一副室と、
前記第一副室と前記主室とに接続して展開され、前記第一副室との接続側よりも前記主室との接続側が車室内側となる第二副室と、を有する
ことを特徴とする、請求項１記載のカーテンエアバッグ。
【請求項３】
前記副室が、
後端を前記主室に接続され、前端を前記第一副室の一端側に係止される接続部材を有する
ことを特徴とする、請求項２記載のカーテンエアバッグ。
【請求項４】
前記接続部材の展開後の長手方向長さが、前記第一副室の展開後の長手方向長さと前記第二副室の展開後の長手方向長さとの和よりも短い
ことを特徴とする、請求項３記載のカーテンエアバッグ。
【請求項５】
前記接続部材が、前記主室に連通接続し展開される第三副室であり、
前記第二副室及び前記第三副室が、連通部を介して前記主室と接続されている
ことを特徴とする、請求項３又は４記載のカーテンエアバッグ。
【請求項６】
前記副室が、前記主室の下端部近傍に接続される
ことを特徴とする、請求項１〜５の何れか１項に記載のカーテンエアバッグ。
【請求項７】
前記副室が、前記フロントピラーの基端部に固定される
ことを特徴とする、請求項１〜６の何れか１項に記載のカーテンエアバッグ。
【請求項８】
前記主室と前記副室との接続箇所よりも車両後方に設けられ、前記副室からの押圧力を受けて前記主室に折り目を形成する折り目部材を備える
ことを特徴とする、請求項１〜７の何れか１項に記載のカーテンエアバッグ。
【発明の詳細な説明】
【技術分野】
【０００１】
本発明は、車両の車室内に設けられるカーテンエアバッグに関する。
【背景技術】
【０００２】
従来、カーテンエアバッグの形状や構造に工夫を施すことにより、展開時におけるカーテンエアバッグの姿勢をコントロールする技術が知られている。例えば、カーテンエアバッグの前端部とフロントピラーとの間をテザー（張力ストラップ）で接続し、カーテンエアバッグに張力を作用させる技術が存在する。この張力は、カーテンエアバッグの膨張，展開中に、カーテンエアバッグがサイドウィンドウの外側へと飛び出すことを阻止するように作用する（特許文献１参照）。
【０００３】
また、カーテンエアバッグのうち、テザーで牽引される位置よりも前方側に袋状の副展開部を設ける技術も存在する。この副展開部は、着座姿勢の乗員から見て、フロントピラーやインストルメントパネルの車幅方向外端側を覆って膨張，展開されるように形成される。これにより、フロントエアバッグの側方に副展開部が配置されることになり、乗員から見て、車両外側に向かう斜め前方がカバーされる（特許文献２参照）。
【先行技術文献】
【特許文献】
【０００４】
【特許文献１】特開2014-015103号公報
【特許文献２】特開2014-162313号公報
【発明の概要】
【発明が解決しようとする課題】
【０００５】
従来のカーテンエアバッグの前端部に取り付けられるテザーは、張力を担う部材であって、圧縮方向の荷重を負担することができない。そのため、カーテンエアバッグの前端部に車両前方へ向かう荷重が作用した場合、前端部がフロントピラーの位置まで押し込まれるまでの間は、その荷重を支えることができない。つまり、カーテンエアバッグの前端部とフロントピラーとの距離が長いほど、乗員頭部の可動ストロークが長くなってしまう。したがって、乗員保護性能のさらなる向上のためには改良の余地がある。
【０００６】
本件の目的の一つは、上記のような課題に鑑みて創案されたものであり、乗員保護性能を向上させることができるカーテンエアバッグを提供することである。なお、この目的に限らず、後述する「発明を実施するための形態」に示す各構成から導き出される作用効果であって、従来の技術では得られない作用効果を奏することも、本件の他の目的として位置付けることができる。
【課題を解決するための手段】
【０００７】
（１）ここで開示するカーテンエアバッグは、車室内の側面に沿って展開される主室と、前記主室の前方においてフロントピラーに対向して前記主室とともに展開され、前記フロントピラーからの反力を受けて前記主室の前端部を車室内方向へと押圧する副室とを備える。
（２）前記副室が、第一副室と第二副室とを有することが好ましい。前記第一副室は、前記フロントピラーに沿って展開され、前記フロントピラーの表面に接触する支持面を有することが好ましい。また、前記第二副室は、前記第一副室と前記主室とに接続して展開され、前記第一副室との接続側よりも前記主室との接続側が車室内側となることが好ましい。
【０００８】
（３）前記副室が、後端を前記主室に接続され、前端を前記第一副室の一端側に係止される接続部材を有することが好ましい。
（４）前記接続部材の展開後の長手方向長さが、前記第一副室の展開後の長手方向長さと前記第二副室の展開後の長手方向長さとの和よりも短いことが好ましい。
（５）前記接続部材が、前記主室に連通接続し展開される第三副室であり、前記第二副室及び前記第三副室が、連通部を介して前記主室と接続されていることが好ましい。
【０００９】
（６）前記副室が、前記主室の下端部近傍に接続されることが好ましい。
（７）前記副室が、前記フロントピラーの基端部に固定されることが好ましい。
（８）前記主室と前記副室との接続箇所よりも車両後方に設けられ、前記副室からの押圧力を受けて前記主室に折り目を形成する折り目部材を備えることが好ましい。
【発明の効果】
【００１０】
開示のカーテンエアバッグによれば、前端部の可動ストロークを短縮することができ、乗員保護性能を向上させることができる。
【図面の簡単な説明】
【００１１】
【図１】実施形態としてのカーテンエアバッグが設けられた車両の車室内を示す斜視図である。
【図２】展開状態のカーテンエアバッグの前端部を示す斜視図である。
【図３】収納状態のカーテンエアバッグを示す側面図である。
【図４】展開状態のカーテンエアバッグの部分断面図（上面視）である。
【図５】（Ａ），（Ｂ）は変形例としてのカーテンエアバッグを示す斜視図である。
【発明を実施するための形態】
【００１２】
図面を参照して、実施形態としてのカーテンエアバッグについて説明する。なお、以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１３】
［１．構成］
図１に、カーテンエアバッグ１が適用された車両の車室内１０を示す。カーテンエアバッグ１は、左右の窓面１３を覆うように展開されるエアバッグである。展開前のカーテンエアバッグ１は、左右のフロントピラー９やその上端部に連結される車室側面上方のルーフサイドレールの表面を被覆するトリムの内側に折り畳まれて収納される。また、車両に衝突等の何らかの衝撃力が作用すると、インフレータで発生したガスが、折り畳まれて収納されているカーテンエアバッグ１の内部に供給され、膨張したカーテンエアバッグ１がトリム外部の下方へと展開される。なお、車室内１０には、カーテンエアバッグ１のほか、乗員の前方に展開されるフロントエアバッグ１１や、運転席及び助手席の側方に展開されるサイドエアバッグ１２なども設けられる。
【００１４】
このカーテンエアバッグ１には、メインチャンバー２とサブチャンバー３とが設けられる。メインチャンバー２（主室）は、車室内１０の左右側面に沿って展開される袋体である。メインチャンバー２の前端部１５の位置は、フロントピラー９の近傍とされる。図１の例では、前端部１５の上部がフロントピラー９と重なり、前端部１５の下部がドアミラー基端部の三角パネル１６の近傍に位置するように、メインチャンバー２の形状が設定されている。
【００１５】
メインチャンバー２の内部には、前端部１５よりも車両後方において、表裏の基布を接続する複数の折り目部材８が設けられる。これらの折り目部材８は、メインチャンバー２が展開されたときの幅を規制するための紐状部材であり、メインチャンバー２の前端部１５を車室内１０に向かって折れ曲がりやすくするように機能する。折り目部材８による接続位置は、上下方向に伸びた直線をなすように配置される。これにより、展開したメインチャンバー２の表面には、縦方向の折り目が形成される。なお、折り目部材８を用いて折り目を形成する代わりに、表裏の基布を縫合してライン状のシーム（縫い目）を設けてもよい。
【００１６】
サブチャンバー３（副室）は、メインチャンバー２の前端部１５よりも車両前方に配置された袋体である。サブチャンバー３の内部はメインチャンバー２の内部と連通しており、メインチャンバー２の展開時にはサブチャンバー３も一緒に展開される。すなわち、サブチャンバー３は、メインチャンバー２の前方においてフロントピラー９に対向した状態で、メインチャンバー２とともに展開される。なお、メインチャンバー２の内部にガスを供給するインフレータと、サブチャンバー３の内部にガスを供給するインフレータとを別設してもよいし、同一のインフレータを使用してもよい。
【００１７】
サブチャンバー３の前端部１７は、フロントピラー９の下方の基端部に固定される。一方、サブチャンバー３の後端部１８は、メインチャンバー２の前端部１５における下端部近傍に接続される。メインチャンバー２とサブチャンバー３との接続箇所には、図２に示すように、中空紐状の連通路１９が設けられ、ここで収納時のねじれが吸収される。なお、サブチャンバー３の体積は、メインチャンバー２の体積と比較して小さく設定することが好ましい。
【００１８】
サブチャンバー３は、メインチャンバー２の展開時に前端部１５を車室内１０の方向に押圧するように機能する部位である。すなわち、メインチャンバー２の前端部１５を内側に向かって屈曲させることで、乗員から見て車両外側の斜め前方をカバーさせる。図１に示すように、運転席から見て右斜め前方，助手席から見て左斜め前方は、フロントエアバッグ１１とカーテンエアバッグ１との隙間が生じやすい部分である。このような隙間が、サブチャンバー３に押圧されたメインチャンバー２の前端部１５によって閉塞される。
【００１９】
なお、メインチャンバー２の前端部１５の展開形状をあらかじめ車室内１０の方向へと折り曲げた形状にしておけば、少なくともこれらの隙間を閉塞することが可能である。しかし、閉塞された隙間に向かって荷重が作用した場合には、前端部１５がフロントピラー９の位置まで押し込まれ、荷重による可動ストロークが長くなってしまう。そこで、本実施形態のサブチャンバー３の形状は、フロントピラー９の反力をメインチャンバー２の前端部１５へと伝達しうる形状とする。つまり、本実施形態のサブチャンバー３は、メインチャンバー２の前端部１５とフロントピラー９との間に展開されて、前端部１５を押圧するとともに前端部１５を「裏支え」するように機能する。
【００２０】
サブチャンバー３の構造を図２に例示する。このサブチャンバー３には三つの気室、すなわち、外前チャンバー４，外後チャンバー５，内チャンバー６が設けられる。これらのチャンバー４〜６は何れも中空棒状の袋体であり、メインチャンバー２に対して連通状態とされる。各チャンバー４〜６の概略形状は、左右両端部を結わえた小豆袋の形状（あるいはソーセージ形状）に準えることができる。展開された各チャンバー４〜６は、所定長さのリンク部材として機能し、メインチャンバー２の前端部１５の位置を弾性的に固定するトラス構造を形成する。図２に示すトラス構造は、三つの気室を三角形状に接続してなる平面トラスの例である。
【００２１】
外前チャンバー４（第一副室）は、三つの気室のうち、最も車両前方側に配置された気室である。外前チャンバー４は、フロントピラー９の車両幅方向に対向するように配置され、表面に沿って車両前後方向に展開される。ここで、外前チャンバー４のうち、フロントピラー９に対向する面を「支持面２０」と呼ぶ。支持面２０は、フロントピラー９の表面に対して比較的広い面積で面接触するように、平坦に形成される。支持面２０の表面は、摩擦抵抗が増大するように粗面加工される。
【００２２】
外前チャンバー４の前端２１は、固定具１４を介してフロントピラー９に固定される。固定具１４は、外前チャンバー４を回動可能に支持するジョイントであってもよいし、単にその前端２１を係止するクリップであってもよい。また、外前チャンバー４の後端２２は、外後チャンバー５の前端２３に連通状態で接続される。なお、外前チャンバー４の後端２２と外後チャンバー５の前端２３との間に、中空紐状の連通路や弁を介装してもよいし、単に孔をあけて二つのチャンバー４，５を繋いでもよい。また、外前チャンバー４の前端２１は密閉してもよいし、所定の隙間を設けてもよい。
【００２３】
外後チャンバー５（第二副室）は、外前チャンバー４よりも車両後方側に配置された気室であり、外前チャンバー４の後端２２とメインチャンバー２とに連通状態で接続される。外後チャンバー５の前端２３は、展開状態でフロントピラー９の近傍となるように、あるいはドアミラー基端部の三角パネル１６の近傍に位置するように配置される。外後チャンバー５の後端２４は、前述の連通路１９を介してメインチャンバー２の前端部１５に接続される。図２に示すように、外後チャンバー５は、外前チャンバー４との接続側（前端２３側）よりも、メインチャンバー２との接続側（後端２４側）が車室内側となるように設けられる。
【００２４】
内チャンバー６（第三副室，接続部材）は、三つの気室のうち、最も車室内１０側に配置された気室である。内チャンバー６の後端２６は、外後チャンバー５と同様に、連通路１９（連通部）を介してメインチャンバー２の前端部１５に接続される。一方、内チャンバー６の前端２５は、少なくとも展開時に外前チャンバー４の前端２１側に係止されるように設けられる。本実施形態では、内チャンバー６の前端２５が、外前チャンバー４に対して摺動自在に設けられる。
【００２５】
図２に示すように、この前端２５には、外前チャンバー４の外周に環装されたリング７（環部材）が取り付けられる。リング７の直径は、少なくともサブチャンバー３の展開中に外前チャンバー４がその内部を移動しうる大きさに設定される。なお、サブチャンバー３が展開した後には、リング７と外前チャンバー４との相対移動が拘束されてもよい。したがって、リング７の内径を、展開後の外前チャンバー４よりも細く形成してもよい。
【００２６】
各チャンバー４〜６の展開後の長さに関して、内チャンバー６の長手方向長さＬ3は、外前チャンバー４の長手方向長さＬ1と外後チャンバー５の長手方向長さＬ2との和よりも短い寸法に設定される（Ｌ3＜Ｌ1＋Ｌ2）。各チャンバー４〜６の展開後には、各チャンバー４〜６を三辺とした三角形が形成され、平面状のトラス構造が完成する。ここで、外前チャンバー４の支持面２０がフロントピラー９の表面に面接触してその位置が固定されると、外前チャンバー４を底辺とする三角形の頂点の位置が一意に定まることになる。この頂点の位置は、メインチャンバー２の連通路１９の位置に相当する。したがって、外前チャンバー４とフロントピラー９とを接触させることで、メインチャンバー２の前端部１５の位置が特定される。
【００２７】
図３は、サブチャンバー３の収納状態を例示する図である。各チャンバー４〜６は、平面状にガス抜きされて巻回され、あるいは折り畳まれた格好で、フロントピラー９のトリム内側に収納される。ここで仮に、内チャンバー６の前端２５が外前チャンバー４の前端２１と同じ位置でフロントピラー９に固定されているとすれば、内チャンバー６の長手方向長さＬ3が短いことから、外前チャンバー４と外後チャンバー５とを長さ方向に折り畳まなければならない。一方、内チャンバー６の前端２５を外前チャンバー４に対して摺動自在とすることで、各チャンバー４〜６を長さ方向に折り畳まずに収納することができる。
【００２８】
［２．展開状態］
カーテンエアバッグ１のインフレータが作動すると、インフレータ内で発生したガスがメインチャンバー２の内部に供給され、メインチャンバー２がカーテン状に展開される。サブチャンバー３がまだ展開されていない状態では、メインチャンバー２が窓面１３やドア側面に沿って展開されるため、メインチャンバー２の前端部１５がフロントピラー９の近傍に位置している。一方、サブチャンバー３が展開されると、図４に示すように、メインチャンバー２の前端部１５がサブチャンバー３を介してフロントピラー９から離れる方向（車室内１０へ向かう方向）へと押圧され、折り目に沿って折り曲げられる。
【００２９】
外前チャンバー４の支持面２０は、フロントピラー９の表面に面接触し、その位置が固定される。支持面２０には粗面加工が施されているため、その位置がずれにくく、外前チャンバー４の固定状態が安定する。また、外前チャンバー４の前端２１には内チャンバー６が係止され、外前チャンバー４の後端２２には外後チャンバー５が設けられる。これらの外後チャンバー５，内チャンバー６は、ともにメインチャンバー２の前端部１５に接続される。
【００３０】
これにより、上面視で三角形状の平面トラスが形成され、メインチャンバー２の前端部１５の位置が安定的に固定される。このとき、図４に示すように、折り目部材８が列設された箇所を折り目として、メインチャンバー２の前端部１５が車室内１０側へと折り曲げられ、メインチャンバー２の前端部１５がフロントエアバッグ１１に押し付けられる。したがって、フロントエアバッグ１１よりも車両外側の隙間は、メインチャンバー２の前端部１５によって閉塞される。これにより、衝突時の乗員の保護エリアが拡大し、乗員頭部を適切に保護することができる。
【００３１】
上記のトラス構造は、カーテンエアバッグ１の展開時に前端部１５を車室内１０へ押し込むだけでなく、前端部１５を「裏支え」する機能を持つ。例えば、図４中に白抜き矢印で示すように、メインチャンバー２の前端部１５に車両前方へ向かう荷重が作用すると、その荷重が外後チャンバー５及び内チャンバー６の双方に分散される。また、分散した荷重はフロントピラー９に伝達され、フロントピラー９によって支持されることになる。したがって、メインチャンバー２の前端部１５が押し込まれにくくなり、前端部１５の可動ストロークが短縮される。
【００３２】
［３．効果］
（１）上記のカーテンエアバッグ１では、メインチャンバー２の展開時にその前端部１５がサブチャンバー３によって車室内１０の方向へと押圧される。これにより、乗員から見て車両外側に向かう斜め前方をカバー（被覆）することができ、乗員保護性能を向上させることができる。また、前端部１５の裏側がサブチャンバー３を介してフロントピラー９に支持されることから、前端部１５が押し込まれにくくなり、荷重に対する沈み込み量（押し込まれ量）が減少する。つまり、前端部１５の可動ストロークを短縮することができ、乗員保護性能をさらに向上させることができる。
【００３３】
（２）上記のサブチャンバー３には、図４に示すように、外前チャンバー４と外後チャンバー５とが設けられる。外前チャンバー４には支持面２０が設けられ、フロントピラー９の表面に対して面接触するように形成される。また、外後チャンバー５は、外前チャンバー４とメインチャンバー２とに連通状態で接続される。
これにより、サブチャンバー３とフロントピラー９との接触面積を増大させることができ、サブチャンバー３の固定状態を安定させることができる。したがって、メインチャンバー２の前端部１５の位置精度を高めることができる。
【００３４】
また、サブチャンバー３がフロントピラー９の表面でずれにくくなるため、フロントピラー９からの反力を増大させることができ、前端部１５の可動ストロークをより短縮することができる。したがって、乗員保護性能をさらに向上させることができる。
さらに、支持面２０に粗面加工が施されているため、支持面２０でのスリップを効果的に抑制することができ、前端部１５の位置精度や安定性を向上させることができる。したがって、乗員保護性能をさらに向上させることができる。
【００３５】
（３）上記のサブチャンバー３には、図４に示すように、内チャンバー６（第三副室，接続部材）が設けられる。内チャンバー６は、その後端２６がメインチャンバー２に連通状態で接続され、その前端２５が外前チャンバー４の前端２１に係止される。これにより、メインチャンバー２の前端部１５に荷重が作用したときに、その荷重を外後チャンバー５と内チャンバー６とに分散させることができる。したがって、前端部１５の可動ストロークをさらに短縮することができ、乗員保護性能を向上させることができる。
【００３６】
（４）上記のカーテンエアバッグ１では、内チャンバー６の長手方向長さＬ3が、外前チャンバー４の長手方向長さＬ1と外後チャンバー５の長手方向長さＬ2との和よりも短い寸法に設定される。これにより、各チャンバー４〜６を三辺とした三角形状の平面トラスを形成することができ、メインチャンバー２の前端部１５を安定的に固定することができる。また、荷重に対する耐性が高められることから、乗員保護性能をさらに向上させることができる。
【００３７】
（５）上記のカーテンエアバッグ１では、外後チャンバー５と内チャンバー６とが連通路１９を介してメインチャンバー２に接続されている。これにより、メインチャンバー２を膨張させるためのインフレータを用いて外後チャンバー５，内チャンバー６を展開することができる。これに加えて、外後チャンバー５，内チャンバー６が展開するタイミングをメインチャンバー２の展開後にすることができる。また、共通の連通路１９を介してこれらの副室（外後チャンバー５，内チャンバー６）をメインチャンバー２に接続することで、カーテンエアバッグ１の収納時におけるねじれをまとめて吸収することができる。さらに、連通路１９を介して荷重を外後チャンバー５と内チャンバー６とに分散させることができる。
【００３８】
（６）上記のカーテンエアバッグ１では、サブチャンバー３がメインチャンバー２の下端部近傍に接続されるため、メインチャンバー２がある程度展開された後にサブチャンバー３を展開させることができる。したがって、メインチャンバー２の展開を阻害することなくその前端部１５を車室内１０に向けて折り曲げることができ、乗員保護性能をさらに向上させることができる。
【００３９】
また、サブチャンバー３をメインチャンバー２の上端部近傍に接続した場合と比較して、フロントエアバッグ１１に近い位置で前端部１５を押圧することができる。これにより、前端部１５をフロントエアバッグ１１に押し付けることができ、乗員から見て車両外側の斜め前方に生じうる隙間を閉塞することができる。したがって、乗員保護性能をさらに向上させることができる。
【００４０】
（７）上記のカーテンエアバッグ１では、サブチャンバー３がフロントピラー９の基端部に固定されるため、フロントピラー９の表面だけでなくドアミラー基端部の三角パネル１６の表面も併用して、比較的広い面積で支持面２０を支持することができる。これにより、サブチャンバー３の固定状態をより安定化することができ、乗員保護性能をさらに向上させることができる。
【００４１】
また、サブチャンバー３をフロントピラー９の上端部に固定した場合と比較して、フロントエアバッグ１１に近い位置でサブチャンバー３を「裏支え」することができる。これにより、前端部１５に比較的大きな荷重が作用した場合であっても、その荷重に対する沈み込み量を削減することができ、前端部１５の可動ストロークをさらに短縮することができる。
【００４２】
（８）上記のカーテンエアバッグ１には、メインチャンバー２の前端部１５よりも車両後方側に折り目部材８が設けられる。これにより、前端部１５を車室内１０に向かって折れ曲がりやすくすることができ、乗員保護性能を向上させることができる。なお、折り目部材８の代わりにシームを設けた場合においても同様であり、縦方向の折り目を形成することで乗員保護性能をさらに向上させることができる。
【００４３】
（９）上記のカーテンエアバッグ１では、内チャンバー６の前端２５にリング７が取り付けられ、外前チャンバー４の外周にリング７が環装される。これにより、各チャンバー４〜６を長さ方向に折り畳むことなく、フロントピラー９のトリム内側に収納することができる。つまり、収納状態におけるサブチャンバー３の形状を簡素化することができ、サブチャンバー３をスムーズに展開させることができる。また、サブチャンバー３が完全に展開されるまでにかかる時間を短縮することができる。したがって、乗員保護性能をさらに向上させることができる。
【００４４】
［４．変形例］
上述の実施形態では、三つの気室からなるサブチャンバー３を例示したが、気室の数はこれに限定されない。例えば、外前チャンバー４と外後チャンバー５とを一つの気室に合体させてもよい。この場合、展開後のサブチャンバー３の形状が、上述の実施形態と同様の形状となるように、基布の裁断形状及び縫合形状を設定すればよい。また、図５（Ａ）に示すように、各チャンバー４〜６を一体化し、サブチャンバー３の全体形状を三角錐状にしてもよい。また、内チャンバー６を省略し、外前チャンバー４と外後チャンバー５とからなるサブチャンバー３を形成してもよいし、中空の内チャンバー６の代わりに紐状又は棒状の接続部材を用いてサブチャンバー３を形成してもよい。サブチャンバー３は、少なくともフロントピラー９からの反力を受けてメインチャンバー２の前端部１５を車室内１０方向へと押圧する形状のものであればよい。
【００４５】
上述の実施形態では、三つの気室を三角形状に接続してなる平面トラス構造を具備したサブチャンバー３を例示したが、具体的なトラス構造の全体形状はこれに限定されない。例えば、複数の平面トラスを組み合わせたトラス構造を形成してもよい。図５（Ｂ）に示すトラス構造は、複数の気室を骨組みとして、各気室を三角錐状に接続してなる立体的なトラス構造である。このような構造をサブチャンバー３に適用することで、メインチャンバー２の前端部１５における構造的な強度や剛性を高めることができ、乗員保護性能をさらに向上させることができる。また、図５（Ａ）に示す構造と比較して、サブチャンバー３の体積を減少させることができ、サブチャンバー３の展開時間を短縮することができる。
【００４６】
上述の実施形態では、内チャンバー６の前端２５が外前チャンバー４に対して摺動自在となっているが、リング７を省略して内チャンバー６の前端２５をフロントピラー９に固定してもよい。この場合、各チャンバー４〜６を長さ方向に折り畳むことで、フロントピラー９のトリム内部にサブチャンバー３を収納することができる。
【符号の説明】
【００４７】
１  カーテンエアバッグ
２  メインチャンバー（主室）
３  サブチャンバー（副室）
４  外前チャンバー（第一副室）
５  外後チャンバー（第二副室）
６  内チャンバー（第三副室，接続部材）
７  リング（環部材）
８  折り目部材
９  フロントピラー
１０  車室内
１９  連通路（連通部）
２０  支持面
【図１】
2017019383.tif 000003
【図２】
2017019383.tif 000004
【図３】
2017019383.tif 000005
【図４】
2017019383.tif 000006
【図５】
2017019383.tif 000007